(57)【要約】【課題】アーム部材が、脚部材に損傷を与えることの無いような、脚部材、アーム部材、及び天板の相互の取付構造を備えた天板付き家具を提供すること。【解決手段】木製の脚部材５と、下面が脚部材５の上面５ａに螺合手段により取り付けられる剛性体で成型された支持アーム６と、支持アーム６上に支持された天板とからなる天板付き家具であって、支持アーム６の下面の外周縁部に下方に開口する溝部２２を設け、溝部２２に、合成樹脂等の弾性体により成型された周縁部材３０を配置し、支持アーム６の取付時に支持アーム６と脚部材５の上面５ａとにより周縁部材３０を挟持した。【選択図】図１３
2010104482.tif 000002
【特許請求の範囲】
【請求項１】
木製の脚部材と、下面が前記脚部材の上面に螺合手段により取り付けられる剛性体で成型された支持アームと、該支持アーム上に支持された天板とからなる天板付き家具であって、
前記支持アームの下面の外周縁部に下方に開口する溝部を設け、該溝部に、合成樹脂等の弾性体により成型された周縁部材を配置し、前記支持アームの取付時に支持アームと前記脚部材の上面とにより周縁部材を挟持したことを特徴とする天板付き家具。
【請求項２】
前記溝部に、前記周縁部材から突設された突設片が嵌合する嵌合孔が設けられていることを特徴とする請求項１に記載の天板付き家具。
【請求項３】
前記周縁部材は、幅方向の断面視形状が上方から脚部材の上面に向けて拡がる傾斜形状であることを特徴とする請求項１または２に記載の天板付き家具。
【請求項４】
前記溝部は、前記支持アームの下面の外周縁部における外側周縁および前後周縁に設けられていることを特徴とする請求項１ないし３のいずれかに記載の天板付き家具。
【発明の詳細な説明】
【技術分野】
【０００１】
本発明は、木製の脚部材と、下面が脚部材の上面に螺合手段により取り付けられる剛性体で成型された支持アームと、支持アーム上に支持された天板とからなる天板付き家具に関する。
【背景技術】
【０００２】
机やテーブル、さらにはこれらを複数連設したワークステーションとしての形態を採り得る家具の一つとして、幅方向に所定の厚みを有する脚部材に、天板を支持する支持部材を固着することによって、家具としての態様を完成するタイプのものがある。
【０００３】
天板を支持する支持部材は、天板の荷重に耐え得る強度を確保するため、例えばアルミ等の金属により、天板の奥行方向に所定の長さを有するアーム部材として成型されることが多い。一方、脚部材は、デザイン面での統一を図るため、このアーム部材と同一の素材から成型され、側面視で略Ｔ字形状を成すなどの形状的特徴を有している。
【０００４】
脚部材の形状として、前記した略Ｔ字形状のものに加え、幅方向及び奥行方向の寸法を大きく保ったまま上下に長手となる形態、つまりパネル状の形状を採るものもある（例えば、特許文献１参照）。
【０００５】
【特許文献１】実公平７−９８３号公報（第２頁、第３図）
【発明の開示】
【発明が解決しようとする課題】
【０００６】
しかしながら、特許文献１にあっては、上記のようなパネル状の脚部材に対しアーム部材を取り付ける場合、前記した略Ｔ字形状の脚部材の場合と異なり、アーム部材と脚部材との接触面積が大であるため、複数箇所で螺合を行うことが望ましい。しかし、アーム部材は天板を支持している部材であり、この部材を脚部材と強固に螺合すると、天板とアーム部材の両方の荷重が脚部材に加わることによって、脚部材のアーム部材との接触面に負荷が集中する。このため、脚部材の上面における、アーム部材との接触部位に傷が付いたり、歪みが生じる虞があった。
【０００７】
本発明は、このような問題点に着目してなされたもので、アーム部材が、脚部材に損傷を与えることの無いような、脚部材、アーム部材、及び天板の相互の取付構造を備えた天板付き家具を提供することを目的とする。
【課題を解決するための手段】
【０００８】
上記課題を解決するために、本発明の請求項１に記載の天板付き家具は、
木製の脚部材と、下面が前記脚部材の上面に螺合手段により取り付けられる剛性体で成型された支持アームと、該支持アーム上に支持された天板とからなる天板付き家具であって、
前記支持アームの下面の外周縁部に下方に開口する溝部を設け、該溝部に、合成樹脂等の弾性体により成型された周縁部材を配置し、前記支持アームの取付時に支持アームと前記脚部材の上面とにより周縁部材を挟持したことを特徴としている。
この特徴によれば、脚部材と支持アームを螺合手段により取り付ける際に、剛性体で成型された支持アームが木製の脚部材の上面に集中応力が作用すると疵や撓みが生じる虞があるが、弾性部材から成型された周縁部材が緩衝部材の役割を果たし、脚部材の損傷や変形を防止する。
【０００９】
本発明の請求項２に記載の天板付き家具は、請求項１に記載の天板付き家具であって、
前記溝部に、前記周縁部材から突設された突設片が嵌合する嵌合孔が設けられていることを特徴としている。
この特徴によれば、支持アームの嵌合孔に対し周縁部材の突設片を嵌合した状態で、脚部材に組み付けることができるので、家具全体の組立効率が良化する。
【００１０】
本発明の請求項３に記載の天板付き家具は、請求項１または２に記載の天板付き家具であって、
前記周縁部材は、幅方向の断面視形状が上方から脚部材の上面に向けて拡がる傾斜形状であることを特徴としている。
この特徴によれば、周縁部材の幅方向の断面視形状を脚部材の上面に向けて拡がる傾斜形状としたので、上方から加わる荷重を接触面積の広くなった下面で受けることができ、支持アームを安定保持させること可能となる。
【００１１】
本発明の請求項４に記載の天板付き家具は、請求項１ないし３のいずれかに記載の天板付き家具であって、
前記溝部は、前記支持アームの下面の外周縁部における外側周縁および前後周縁に設けられていることを特徴としている。
この特徴によれば、家具の外方から目立つ箇所となる外側周縁と前後周縁に周縁部材が配置されることで、疵等を外方から確実に隠蔽することが可能である。
【発明を実施するための最良の形態】
【００１２】
本発明の実施例を以下に説明する。
【実施例】
【００１３】
図１は、本発明の実施例における天板付き家具としての机の全体像を示す斜視図である。図２は、机の側面図である。図３は、机の一端側を示す正面図である。図４は、机の一端側を示す平面図である。図５は、支持アームの取付状況を示す拡大斜視図である。図６は、支持アームを内上方から見た斜視図である。図７は、支持アームを外上方から見た斜視図である。図８（ａ）は、周縁部材の平面図であり、（ｂ）は、同じく正面図であり、（ｃ）は、同じく側面図である。図９は、支持アームの底面図である。図１０は、脚部材を内上方から見た斜視図である。図１１（ａ）は、連結杆の一端側を示す正面図であり、（ｂ）は、同じく側面図である。図１２（ａ）は、閉塞板の正面図であり、（ｂ）は、同じく側面図である。図１３は、脚部材に取付けられた支持アームの断面図である。図１４は、脚部材に取付けられた支持アームの平面図である。図１５は、脚部材に取付けられた支持アームを内上方から見た斜視図である。
【００１４】
図１に示されるように、本実施例の天板付き家具としての机１は、使用者から見て左右方向に幅広の矩形状の木製の天板２と、天板２を支持する脚体３と、天板２の左右幅と略同じ幅であって、天板２の非使用側の側縁に後述のように取付けられたパネル４と、から主として構成されている。机１は、複数の机１若しくは図示しない他の家具と組合せたいわゆるワークステーションとしての形態を採って使用され、あるいは机１単体で使用され得る。以下の説明で用いる上下左右、前後、及び内外の方向は、机１に向かう使用者を基準とした方向である。
【００１５】
図１ないし４に示されるように、脚体３は、脚部としての天板２の左右端に離間して一対に配置される脚部材５及びそれぞれの脚部材５の上面に配置される金属製の支持アーム６、そして左右両支持アーム６に連結される連結杆７から主として成る。
【００１６】
脚体３を構成する脚部材５は、木製の板部材であって、天板２の前後方向幅と略同じ長さの幅寸を有し、内側面の前後側が、それぞれ前後端部に向けて漸次先細のテーパ面と成る前後対称の形状となっている。
【００１７】
天板２は、木製の板部材であって、下面の前後側が、それぞれ前後端部に向けて漸次先細のテーパ面と成る前後対称の形状となっており、前記した脚部材５と併せた統一感を有している。
【００１８】
パネル４は、天板２よりも上方側を仕切板若しくはデスクトップパネルとして利用出来るとともに、天板２よりも下方側を幕板として利用出来るようになっている。
【００１９】
また、天板２の下面のパネル４側には、断面視略コ字状の受け部材８が左右方向に取付けられており、例えばパソコンや照明器具用の配線ケーブル等を配置できるようになっている。
【００２０】
パネル４の天板２側への取付面における左右両端部それぞれの近傍に係合部材１０が固着され、係合部材１０には係合片１１，１２が突設されている。これら係合片１１，１２が、天板２下面における反使用端側の左右両端部それぞれの近傍に固着されたブラケット１３の係合孔に係合することで、パネル４が天板２に対し取り付けられている。
【００２１】
次に、脚体３の取付構造について詳細に説明する。
【００２２】
図５ないし７に示されるように、支持アーム６は、天板２下面と脚部材５の上面５ａとの間に介在するアーム部材であって、細部にわたり前後略対称形状に形成されている。支持アーム６は、後述のように天板２及び脚部材５とそれぞれネジにより接続されるとともに、且つ左右の支持アーム６同士が連結杆７を介し接続されるようになっている。
【００２３】
また、支持アーム６は、剛性体としての金属製部材、具体的にはアルミ製の成型部材であり、木製の天板２及び脚部材５の間に配置されて美観が良く、机１全体の意匠性にも寄与している。
【００２４】
図６、７に示されるように、支持アーム６は、天板２の下面に当接する上面側において、前後中央側２箇所に、内側に向けて延びる張出部２０が設けられるとともに、前後端側２箇所に、内側に向けて延びる張出部２１が設けられる。各張出部２０，２１にそれぞれネジ孔２０ａ，２１ａが形成され、天板２と螺合するネジを挿入できるようになっている。
【００２５】
また、支持アーム６下面の所定箇所と脚部材５の上面５ａとの間に、合成樹脂等の弾性体により成型された周縁部材３０が配設されている。図８（ａ）〜（ｃ）に示されるように、周縁部材３０は、より具体的には、前後方向に延びる薄板状の成型部材であり、一端部３０ａが若干幅広に形成されている。図８（ｃ）に示されるように、周縁部材３０の幅方向の断面視形状は、上方から下方、すなわち後述する脚部材５の上面に向けて拡がる傾斜面３０ｂを備えた傾斜形状に形成されている。また、周縁部材３０の上面の前後２箇所に、突設片３０ｃ，３０ｄが上方に向けて突設されている。
【００２６】
次に、図９に示されるように、周縁部材３０が取り付けられる支持アーム６の下面について説明すると、支持アーム６下面の外側周縁及び前後周縁に亘って、前記した周縁部材３０の形状に対応するように、幅方向断面視で略Ｌ字状の溝部２２が（図１３参照）、支持アーム６の前後対称に２箇所形成されている。また、溝部２２下面の前後端側及び中央側に、周縁部材３０の突設片３０ｃ，３０ｄがそれぞれ嵌合する嵌合孔２２ｃ，２２ｄが設けられている。
【００２７】
次に、図６，７に示されるように、支持アーム６の連結杆７との接続箇所について説明すると、支持アーム６の上面側に、上方に向けて開口するとともに内外に一対の立片２４，２５を有するコ字状部２３が、前後方向に延びている。内側の立片２４には、連結杆７に接続する際に用いる前後に２個一組のボルト用の挿通孔２４ａが、立片２４の前後方向に複数組並んで穿設されている。
【００２８】
一方、図１１（ａ）、（ｂ）に示されるように、連結杆７の左右両端部には、前記した２個一組の挿通孔２４ａに対応する２個一組のボルト孔３２ａが形成されており、連結杆７と支持アーム６とは後述のように連結ボルトで接続されるようになっている。
【００２９】
図７に示されるように、各組ごとの互いに隣接した２個の挿通孔２４ａ同士の間の部位に、内側の立片２４と外側の立片２５とを連結するリブ２６が設けられている。
【００３０】
内側の立片２４について詳述すると、図６に示されるように、立片２４の連結杆７に連結するコ字状部２３の外方を向く外側面において、互いに連結した２個の挿通孔２４ａ同士の間の部位に、連結杆７に向けて凸である位置決め片２７が突設している。
【００３１】
また、図６に示されるように、内側の立片２４のコ字状部２３内方を向く内側面は、外上方に向けて傾斜するテーパ面２４ｂに形成されている。更に各挿通孔２４ａは、このテーパ面２４ｂに対し略直交する軸線方向に穿設されている。
【００３２】
尚、本実施例では、２個一組のボルト孔が形成された連結杆７と接続するべく、支持アーム６の内側の立片２４に２個一組の挿通孔２４ａが前後方向に複数組形成され、各組の挿通孔の間にリブ２６が設けられているが、例えば、１個のボルト孔のみが形成された連結杆と適宜の箇所で接続するべく、支持アームの内側の立片に挿通孔が前後方向に複数個形成され、隣接する挿通孔の間にリブが設けられていてもよい。
【００３３】
更に尚、一組のボルト孔及び対応する挿通孔の個数は、２個であるに限られず、３個以上の所定数であっても構わず、前記したリブは、隣接する挿通孔の間に全て、若しくは所定数ピッチで設けられていてもよい。
【００３４】
次に、図６，７に示されるように、支持アーム６の脚部材５との接続箇所について説明すると、支持アーム６の前後中央側の下部に、略等脚台形状を成す嵌合突部２８が、その下底辺２８ａを上底辺２８ｂよりも短い形状、すなわち下方に向って狭まる形状になるように設けられている。嵌合突部２８には、傾斜辺に沿ってネジ孔２８ｃが内外に貫通して穿設され、内側面の所定箇所に係合凹部２８ｄが設けられている。
【００３５】
一方、図１０に示されるように、脚部材５の内側面の前後中央側には、支持アーム６の嵌合突部２８に対応して略等脚台形状を成す嵌合溝部５ｂが形成されている。嵌合溝部５ｂは、脚部材の前後中央側における内側面及び上面を所定深さ削り取って形成され、すなわち内側方且つ上方に向けて開口している。
【００３６】
図７に示されるように、支持アーム６前後側２箇所の張出部２１内には、天板２の左右側縁にパネル（図示略）を立設する場合に用いるブラケット（図示略）を接続するためのネジ孔２１ｂが形成されている。本実施例のように、前記パネルを使用しない場合は、張出部２１に連通する支持アーム外側開口を蓋部材３３により閉塞しておく。
【００３７】
また、図９，１４に示されるように、支持アーム６の上面の前後両側に、ネジ孔６ａが形成され、脚部材５と螺合する螺合手段であるネジ（図示略）を挿入できるようになっている。
【００３８】
次に、支持アーム６の脚部材５への組み付けについて説明する。
【００３９】
先ず、図７に示されるように、支持アーム６下面の溝部２２に沿って、前後方向に２個の周縁部材３０を取り付け、支持アーム６を脚部材５上面の所定箇所に設置する。図８（ａ）、（ｂ）及び図９に示されるように、各周縁部材３０において２箇所設けられた突設片３０ｃ，３０ｄが、溝部２２の嵌合孔２２ｃ，２２ｄにそれぞれ嵌合することで、周縁部材３０を取り付けた支持アーム６の下面を下方に向けても、周縁部材３０が支持アーム６から脱落することが無く、支持アーム６の嵌合孔２２ｃ，２２ｄに対し、周縁部材３０の突設片３０ｃ，３０ｄを嵌合した状態で、脚部材５に組み付けることができるので、机１全体の組立効率が良化する。このように、支持アーム６の取付時に、支持アーム６と脚部材５の上面５ａとにより周縁部材３０を挟持することになる。
【００４０】
図１３ないし１５に示されるように、木製の脚部材５の化粧面である上面５ａに対し金属製の支持アーム６を設置し、脚部材５と支持アーム６を螺合手段により取り付ける際に、剛性体で成型された支持アーム６が木製の脚部材５の上面５ａに集中応力が作用すると疵や撓みが生じる虞があるが、弾性部材から成型された周縁部材３０が緩衝部材の役割を果たし、脚部材５の損傷や変形を防止する。
【００４１】
特に、支持アーム６の下面の外周縁部に設けられる溝部２２は、外側周縁および前後周縁に設けられており、家具の外方から目立つ箇所となる外側周縁と前後周縁に周縁部材３０が配置されることで、疵等を外方から確実に隠蔽することが可能である。
【００４２】
また、周縁部材３０の幅方向の断面視形状を脚部材５の上面５ａに向けて拡がる傾斜面３０ｂを備えた傾斜形状としたので、上方から加わる支持アーム６及び天板２の荷重を接触面積の広くなった周縁部材３０の下面で受けることができ、支持アーム６を安定保持させること可能となる。
【００４３】
また、上述したように支持アーム６の下面を脚部材５の上面５ａに設置すると同時に、支持アーム６の略等脚台形状の嵌合突部２８を、脚部材５の内側面の嵌合溝部５ｂにアプローチし嵌合する。嵌合突部２８を嵌合溝部５ｂ内に嵌合することで、支持アーム６の脚部材５対する前後方向及び左右方向の位置決めが成されることになる。
【００４４】
嵌合突部２８を嵌合溝部５ｂに嵌合した後、嵌合突部２８のネジ孔２８ｃに挿入した連結用のボルト３４を脚部材５と螺合することで（図１５参照）、支持アーム６の嵌合突部２８を、脚部材５の嵌合溝部５ｂに対し固定する。
【００４５】
このように、支持アーム６の嵌合突部２８が、脚部材５の嵌合溝部５ｂに嵌合することで、脚部材５の剛性を強めることができる。また、嵌合突部２８と嵌合溝部５ｂとを、ともに下方に向かって狭まる台形状としたので、嵌合突部２８を嵌合溝部５ｂに差し込み易くなる。
【００４６】
具体的には、嵌合突部２８を上方から下方の嵌合溝部５ｂに向けて差し込むときに、差込みの初期段階においては嵌合突部２８の幅狭の先端である下底辺２８ａが、嵌合溝部５ｂの幅広の開口に対し差し込み易く、以降、嵌合突部２８を嵌合溝部５ｂ内に差し込むに従い、嵌合突部２８の外面が嵌合溝部５ｂの内面に当接して漸次位置決めしながら、嵌合突部２８が所定の嵌合位置に嵌合されることになる。
【００４７】
またこのように、嵌合溝部５ｂを上方に加えて側方にも開口したので、嵌合突部２８の嵌合溝部５ｂへの嵌合がより行い易くなる。
【００４８】
前記した連結用のボルト３４により、嵌合突部２８を嵌合溝部５ｂに対し固定した後に、図１２（ａ）、（ｂ）、図１３、及び図１５に示されるように、嵌合溝部５ｂの側方開口の形状と略同一の略等脚台形状の閉塞板３１を、嵌合溝部５ｂに嵌合した嵌合突部２８に係合する。閉塞板３１は、表面は周縁端部３１ａが若干突出した平面状であるとともに、裏面の所定箇所に、嵌合突部２８の係合凹部２８ｄに対応し、先端が膨出した係合凸部３１ｂが設けられている。
【００４９】
閉塞板３１を嵌合突部２８に位置合わせし嵌合突部２８に向け押圧することで、係合凸部３１ｂを係合凹部２８ｄに係合し、閉塞板３１を嵌合突部２８に取り付ける。嵌合突部２８に取り付けられた閉塞板３１は、脚部材５の内側面５ｃと略面一となっている。
【００５０】
図１５に示されるように、嵌合溝部５ｂの側方の開口が他方の脚部材５の方向、すなわち内方に向けて開口しているので机１の外方から目立たず、しかも閉塞板３１によって閉塞したので、連結用のボルト３４や嵌合突部２８が外方に露呈せず、体裁を損なわない。
【００５１】
またこのように、閉塞板３１の形状が脚部材５の嵌合溝部５ｂの側方開口の形状と略同一で、且つ脚部材５の嵌合溝部５ｂの開口側である内側面５ｃと略面一となっているため、凹凸の違和感がなく、脚部材５の内側面５ｃと同一化させることができ体裁がよい。
【００５２】
次に、図１４に示されるように、支持アーム６の上面に形成されたネジ孔６ａに下方に挿入した取付ネジ（図示略）を脚部材５と螺合することで、支持アーム６を脚部材５に対し固定する。
【００５３】
このように、支持アーム６の前後方向（長手方向）の略中間位置で嵌合突部２８が嵌合溝部５ｂに連結され、且つ両端部が脚部材５に連結されるので、脚部材５の剛性が長手方向の全領域で大となる。
【００５４】
また、嵌合突部２８は、その下底辺２８ａが上底辺２８ｂよりも短く形成されており、且つ、嵌合突部２８における前後両側の傾斜辺が下底辺２８ａに向けて狭まるように傾斜しており、嵌合突部２８の下底辺２８ａ及び前記傾斜辺が、机１外上方からの視覚に入り難いため、嵌合突部２８及び閉塞板３１が目立たず、外観体裁が良い。
【００５５】
次に、支持アーム６と連結杆７との連結について説明する。
【００５６】
本実施例では、支持アーム６の前後中央に位置する挿通孔２４ａを用いて、一本の連結杆７のみを支持アーム６に接続する。図１１（ａ）、（ｂ）及び図１３に示されるように、連結杆７は側面視矩形状の周壁からなる内空構造の管状体であって、連結杆７の左右両端縁よりも若干内方には、前後一対のボルト孔３２ａが形成されたプレート材３２が、上下の周壁に対し所定角度傾斜した状態で、連結杆７に固着されている。具体的には、プレート材３２は、連結杆７の取付位置において前述した支持アームの立片２４のテーパ面２４ｂと略平行になるような角度で傾斜している。また、ボルト孔３２ａは、プレート材３２の内外端面に対し略直交方向に穿設されており、すなわちボルト孔３２ａは、連結杆７の取付位置において、立片２４のテーパ面２４ｂに略直交に穿設された挿通孔２４ａと、略同軸に配置できるように成っている。
【００５７】
この連結杆７を、前記したプレート材３２のボルト孔３２ａが支持アーム６の立片２４の挿通孔２４ａと略同軸になるように配置する。具体的には、内空構造の連結杆７の左右端の上下周縁が、コ字状部２３の立片２４の外側面に突設した位置決め片２７と嵌合するように、連結杆７を配置する。
【００５８】
次に、図１３に示されるように、それぞれの挿通孔２４ａに、支持アーム６と連結杆７とを連結するボルトである連結ボルトＢを、コ字状部２３の外上方から内下方に向けて斜方向に挿通する。それぞれの連結ボルトＢは挿通孔２４ａに挿通され、ボルト孔３２ａに螺合する。
【００５９】
尚、本実施例では、前後中央に形成された一組の挿通孔２４ａのみを用いて、支持アーム６と一本の連結杆７のみとを接続しているが、天板の前後幅寸法や耐荷重の仕様等に応じて、複数組穿設された挿通孔のうち、適宜、数組の挿通孔を用いて、支持アーム６と複数本の連結杆とを接続しても良い。
【００６０】
このように、連結ボルトＢの挿通孔２４ａが複数穿設されているので、連結杆の数及び設置箇所を、挿通孔２４ａの穿設箇所に応じて任意に選定できる。また、隣接した挿通孔２４ａ同士の間にリブ２６を設けたことによって、連結杆７の連結ボルトＢの締結により発生するモーメントを、リブ２６により連結された支持アーム６のコ字状部２３の両立片２４，２５により受けることができ、連結杆７の支持強度を高めることができる。
【００６１】
また、連結杆７は隣接する２つの挿通孔２４ａに挿通した２つの連結ボルトＢによって連結されており、２つの連結ボルトＢによって連結杆７を連結すると共に、隣接した挿通孔２４ａ同士の間にリブ２６が設けられているので、連結杆７の支持強度を一層高めることができる。
【００６２】
また、位置決め片２７により、連結杆７を脚部としての支持アーム６に対し上下方向に位置保持できるので、重量のある連結杆７を位置決め片２７で支えた状態で連結ボルトＢの締結作業ができる。更に、位置決め片２７は、コ字状部２３の内方の立片２４の外側面に、突設しているため、立片２４をより肉厚にすることになり、連結杆７の支持強度の向上に寄与できる。
【００６３】
更に、挿通孔２４ａが穿設された内方の立片２４における内側面を外上方に向けて傾斜するテーパ面２４ｂに形成することで、連結ボルトＢを外上方から斜方向に挿通できるため、両立片２４，２５の間隔を大とすることなく連結ボルトＢの締結が可能となり、脚部としての支持アーム６の幅方向の厚みを小とすることができる。
【００６４】
尚、上記した連結杆７の前後中央側における挿通孔２４ａへの取り付けに関し、外方の立片２５の一部を構成するカバー部材２５ａを一旦取外し、図１５に示されるように、コ字状部２３の外側方に連通する開口部２５ｂを形成してもよい。このようにすることで、コ字状部２３の外上方に加え外側方も利用して、連結ボルトＢを螺挿するために用いるドライバ工具を取り扱い易い。
【００６５】
上述したように、脚部材５に周縁部材３０を介して支持アーム６を取付けた脚部を構成するとともに、左右一対に配置した前記脚部に対し連結杆７を連結し、前記脚部と連結杆７とにより脚体を構成する。
【００６６】
次に、図４及び１５に示されるように、前記脚体を構成する支持アーム６及び連結杆７の上面に、天板２を載置するとともに、支持アーム６の張出部２０のネジ孔２０ａ、及びに張出部２１のネジ孔２１ａに、下方からネジ（図示略）を挿入し、脚体と天板２とを接続する。
【００６７】
以上、本発明の実施例を図面により説明してきたが、具体的な構成はこれら実施例に限られるものではなく、本発明の要旨を逸脱しない範囲における変更や追加があっても本発明に含まれる。
【００６８】
例えば、上記実施例では、支持アーム６の溝部２２に、周縁部材３０から突設された突設片３０ｃ，３０ｄが嵌合する嵌合孔２２ｃ，２２ｄが設けられており、支持アーム６に周縁部材３０を予め組付けできるようになっているが、支持アーム６と周縁部材３０との組付け箇所については、例えば、支持アームの溝部に下方に延びる突設片が設けられると共に、周縁部材の上面に前記突設片が嵌合する嵌合孔が形成されていてもよい。
【００６９】
また、例えば上記実施例では、周縁部材３０は、幅方向の断面視形状が上方から脚部材５の上面に向けて拡がる傾斜面３０ｂを備えた傾斜形状であるが、例えば周縁部材は、略同一形状の上下面が平行に配置された断面視矩形状であってもよい。
【００７０】
また、例えば上記実施例では、支持アーム６の下面の外周縁部に設けられる溝部２２は、外側面および前後面であるが、例えば、溝部は、支持アーム下面の外周縁部に周方向に亘って設けられていてもよいし、あるいは外側面のみに設けられていても構わない。
【００７１】
更に、例えば上記実施例では、脚体として板状の脚部材５、支持アーム６、及び連結杆７が構成されているが、脚体の構成部材は、本実施例に限られず、例えば、脚部材５と支持アーム６のみから構成されていてもよい。
【図面の簡単な説明】
【００７２】
【図１】本発明の実施例における天板付き家具としての机の全体像を示す斜視図である。
【図２】机の側面図である。
【図３】机の一端側を示す正面図である。
【図４】机の一端側を示す平面図である。
【図５】支持アームの取付状況を示す拡大斜視図である。
【図６】支持アームを内上方から見た斜視図である。
【図７】支持アームを外上方から見た斜視図である。
【図８】（ａ）は、周縁部材の平面図であり、（ｂ）は、同じく正面図であり、（ｃ）は、同じく側面図である。
【図９】支持アームの底面図である。
【図１０】脚部材を内上方から見た斜視図である。
【図１１】（ａ）は、連結杆の一端側を示す正面図であり、（ｂ）は、同じく側面図である。
【図１２】（ａ）は、閉塞板の正面図であり、（ｂ）は、同じく側面図である。
【図１３】脚部材に取付けられた支持アームの断面図である。
【図１４】脚部材に取付けられた支持アームの平面図である。
【図１５】脚部材に取付けられた支持アームを内上方から見た斜視図である。
【符号の説明】
【００７３】
１                机（天板付き家具）
２                天板
３                脚体
４                パネル
５                脚部材
５ａ              上面
５ｂ              嵌合溝部
５ｃ              内側面
６                支持アーム
７                連結杆
１０              係合部材
１１，１２        係合片
１３              ブラケット
２０，２１        張出部
２２              溝部
２２ｃ，２２ｄ    嵌合孔
２３              コ字状部
２４，２５        立片
２４ａ            挿通孔
２４ｂ            テーパ面
２６              リブ
２７              位置決め片
２８              嵌合突部
２８ａ            下底辺
２８ｃ            ネジ孔
３０              周縁部材
３０ｂ            傾斜面
３０ｃ，３０ｄ    突設片
３１              閉塞板
３４              ボルト
Ｂ                連結ボルト
【図１】
2010104482.tif 000003
【図２】
2010104482.tif 000004
【図３】
2010104482.tif 000005
【図４】
2010104482.tif 000006
【図５】
2010104482.tif 000007
【図６】
2010104482.tif 000008
【図７】
2010104482.tif 000009
【図８】
2010104482.tif 000010
【図９】
2010104482.tif 000011
【図１０】
2010104482.tif 000012
【図１１】
2010104482.tif 000013
【図１２】
2010104482.tif 000014
【図１３】
2010104482.tif 000015
【図１４】
2010104482.tif 000016
【図１５】
2010104482.tif 000017